(57)【特許請求の範囲】
【請求項１】
複数のビデオ信号に対応するＮ本（但しＮは２以上の整数）のレーザ光を走査する走査手段と、
レーザ光の走査開始端付近に配置された光センサと、
該光センサの検出信号から同期信号を生成する同期信号生成部と、
該同期信号生成部により生成された同期信号を受信し、該同期信号に同期した前記複数のビデオ信号を生成する信号制御部とを備え、
上記信号制御部は、前記ビデオ信号に対応する前記同期信号を分離して取り出す同期信号分離回路と、
それぞれフリップフロップを有し、前記分離した同期信号及び画像データ成分からＮ個のビデオ信号を生成するＮ個のビデオ信号生成回路とを備えた光走査装置であって、
Ｎ番目の前記ビデオ信号生成回路は、同期確立動作を開始する開始信号によりフリップフロップがセットされ、
１〜（Ｎ−１）番目の前記ビデオ信号生成回路は、それぞれＮ番目のビデオ信号生成回路のフリップフロップの出力と、前記同期信号分離回路からの同期信号との論理積の出力信号によりフリップフロップがセットされるように接続してなり、
Ｎ個のフリップフロップの出力に基づいて前記レーザ光を走査することにより得られる同期信号をそれぞれＮ個のビデオ信号生成回路の同期信号として割り当てることを特徴とする光走査装置。
【請求項２】
複数のビデオ信号に対応するＮ本（但しＮは３以上の整数）のレーザ光を走査する走査手段と、
レーザ光の走査開始端付近に配置された光センサと、
該光センサの検出信号から同期信号を生成する同期信号生成部と、
該同期信号生成部により生成された同期信号を受信し、該同期信号に同期した前記複数のビデオ信号を生成する信号制御部とを備え、
上記信号制御部は、前記ビデオ信号に対応する前記同期信号を分離して取り出す同期信号分離回路と、
それぞれフリップフロップを有し、前記分離した同期信号及び画像データ成分からＮ個のビデオ信号を生成するＮ個のビデオ信号生成回路とを備えた光走査装置であって、
Ｎ番目の前記ビデオ信号生成回路は、同期確立動作を開始する開始信号によりフリップフロップがセットされ、
（Ｎ−１）番目から１番目の前記ビデオ信号生成回路は、それぞれＮ番目から２番目の分離されたビデオ信号生成回路のフリップフロップの出力信号と、Ｎ番目から２番目の同期信号の論理積の出力信号によりフリップフロップがセットされるように接続してなり、
Ｎ個のフリップフロップの出力に基づいて、前記レーザ光を走査することにより得られる同期信号をそれぞれＮ個のビデオ信号生成回路の同期信号として割り当てることを特徴とする光走査装置。
【請求項３】
複数のビデオ信号に対応するＮ本（但しＮは２以上の整数）のレーザ光を走査する走査手段と、
レーザ光の走査開始端付近に配置された光センサと、
該光センサの検出信号から同期信号を生成する同期信号生成部と、
該同期信号生成部により生成された同期信号を受信し、該同期信号に同期した前記複数のビデオ信号を生成する信号制御部とを備え、
上記信号制御部は、前記ビデオ信号に対応する前記同期信号を分離して取り出す同期信号分離回路と、
それぞれフリップフロップを有し、前記分離した同期信号及び画像データ成分からＮ個のビデオ信号を生成するＮ個のビデオ信号生成回路とを備えた光走査装置であって、
Ｎ番目の前記ビデオ信号生成回路は、前記分離した同期信号の発生から所定時間経過後に出力パルスを発生するタイマの出力信号と、同期確立動作を開始する開始信号との論理和によりフリップフロップがセットされ、
１〜（Ｎ−１）番目の前記ビデオ信号生成回路のフリップフロップは、前記タイマの出力信号によりセットされるように接続してなり、
Ｎ個のフリップフロップの出力に基づいて、前記レーザ光を走査することにより得られる同期信号をそれぞれＮ個のビデオ信号生成回路の同期信号として割り当てることを特徴とする光走査装置。
【発明の詳細な説明】
【技術分野】
【０００１】
本発明は、複数本のレーザ光で感光ドラムを走査する光走査装置に関するものである。
【背景技術】
【０００２】
従来、レーザビームプリンタなどの電子写真装置では、レーザ光源から出力されるレーザビームを、高速回転する回転多面鏡に反射させて水平方向に偏向走査し、走査光を感光ドラム表面に露光して静電潜像を形成し、静電潜像をトナーで現像し、トナー像を印刷用紙に転写し定着させて印刷を実現している。
【０００３】
このような電子写真装置に用いられる光走査装置においては、走査光の走査開始端付近に走査光を検出する走査光検出センサが配設され、走査光検出センサに走査光が入射されるごとに水平同期信号を生成している。
【０００４】
図５は、光走査装置における水平同期信号生成の従来例を示す概略構成図であり、信号制御部１０１と走査機構部１０２とより構成される。信号制御部１０１に設けられたビデオ信号生成部１０４から出力したビデオ信号１１１〜１１５は、走査機構部１０２に設けられたレーザ光出力部１０５によりレーザ光として放射される。レーザ光は、高速回転する回転多面鏡１０６で反射され、非球面レンズ１０７を透過した後、走査光検出センサ１０８及び感光ドラム１０９を走査する。
【０００５】
走査光検出センサ１０８は、走査光１１６〜１２０が走査する走査線上に設けられており、走査光１１６〜１２０がセンサ１０８上を走査すると、それを検知して信号を発生する。検知信号は水平同期信号生成部１１０に加えられ、水平同期信号１２１を生成する。生成した水平同期信号１２１は、水平同期信号検査部１０３において、信号の正常性が確認された後、印刷用紙に対する水平方向の書き出し位置を一定に保つための、印刷データ書き出し開始タイミングの決定に用いられる。
【０００６】
近年、印刷密度の高解像度化や印刷速度の高速化への要求が高まるにつれ、図５に示す従来例のように、一度に走査する走査光の本数を複数本とするマルチビーム走査装置が多く用いられている。このような装置では、複数本のレーザ光の列を感光体ドラムの副走査方向に対して傾斜させ、複数光ビームを同時に走査するとともに、１個の走査光検出センサにより各走査光を検知し、各走査光に対する水平同期信号を多重化した水平同期信号を生成する。
【０００７】
図６は従来例において、走査光５本の場合のビデオ信号１１１〜１１５と、水平同期信号１２１の関係を示すタイミングチャートである。各ビデオ信号１１１〜１１５は、水平同期信号発生用データ成分３０１〜３０５と印刷データ成分３０６〜３１０から成っており、水平同期信号発生用データ成分３０１〜３０５によって走査光検出センサ１０８を走査し、各ビデオ信号１１１〜１１５に対応する各々の水平同期信号パルス３１６を発生させる。そして、発生させた水平同期信号パルス３１６によって印刷データ成分３０６〜３１０の書き出し開始位置を決定している。
【０００８】
ここで、水平同期信号発生用データ成分３０１〜３０５は水平同期信号３１６を発生させるためのビデオ信号であるため、有効印刷領域、即ち感光ドラム表面に静電潜像を形成する領域に出力されないように制御されている。例えば、水平同期信号発生用データ成分３０１〜３０５の次の周期に発生する水平同期信号発生用データ成分３１１〜３１５の出力は、直前に発生した水平同期信号３１６の先頭パルスを基準にタイマーを仕掛け、一定時間経過したタイミングで発生させている。また、各ビデオ信号に対応する各々の水平同期信号パルス３１７を受信すると、その受信に基づいて水平同期信号発生用データ成分３１１〜３１５の出力を終了している。このように、前の周期の水平同期信号３１６の発生タイミングに同期して水平同期信号発生用データ成分３１１〜３１５を出力し、水平同期信号パルスを発生させる状態を、以降、水平同期状態と呼ぶ。また、非水平同期状態から水平同期状態へ遷移しようとする動作を、以降、水平同期確立動作と呼ぶ。
【０００９】
一方、水平同期確立動作を開始するとき、すなわち図６の例では、最初の水平同期信号パルス３１６を発生させるときには、前述のように直前に発生した水平同期信号パルスを基準として水平同期信号発生用データ成分の出力開始タイミングを決定することができない。このため、図７のタイミングチャートに示すように、一旦、全てのビデオ信号４０１〜４０５を出力し続けて、走査光が走査光検出センサ１０８上を走査するのを待ち、最初の水平同期信号パルス４０６を得る方法が採用されている。
【００１０】
このような水平同期確立動作では、水平同期信号発生用データ成分の出力の開始タイミングと水平同期信号パルス発生タイミング（回転多面鏡の回転タイミングに依存する）は非同期である。このため、水平同期信号発生用データ成分の出力開始タイミングによって、最初に受信する水平同期信号の先頭パルスが、どのビデオ信号に対応した水平同期信号パルスであるかを識別することができない（以下本明細書では、どのビデオ信号に対応しているかという情報を同期信号パルスの属性と称する）。
【００１１】
例えば、図８に示すように、水平同期信号発生用データ成分の走査光５０１の出力開始のタイミングが感光ドラム５０２の中央付近であった場合、走査光５０１が最初に検出センサ５０３を走査し、水平同期信号発生部５０４から最初に発生する水平同期信号は図９に示すような５個のパルス６０１となり、その先頭パルスは、第１ビデオ信号に対応した属性を有する第１水平同期信号である。
【００１２】
一方、図１０に示すように、５本の水平同期信号発生用データ成分の走査光７０１の出力開始が、走査光検出センサ７０３をまたぐようなタイミングであり、例えば３本が検出センサ７０３の前に位置し、２本が検出センサ７０３の後に位置していた場合、水平同期信号生成部７０４により最初に生成される水平同期信号は図１１に示すような３個のパルス８０１となり、その先頭パルスは、第３ビデオ信号に対応した属性を有する第３水平同期信号である。このように、一度に走査する走査光の本数を複数本とした光走査装置では、非水平同期状態から水平同期確立動作を行って水平同期状態に達するためには、受信した水平同期信号パルスが、どのビデオ信号に対応する水平同期信号パルスなのかを示す情報、つまり、水平同期信号パルスの属性を認識する必要がある。
【００１３】
なお、マルチビーム光走査装置において、水平同期信号パルスの属性を認識する方法としては、特許文献１に示すように、各ビームを異なる周波数で変調し、周波数毎に水平同期パルスを分離するものが提案されている。また特許文献２には、複数光源の光ビームの列を副走査方向に対して傾斜させ、複数光ビームを１個の光センサ上を走査して多重化された水平同期信号を生成する技術、及び多重化された信号から各光ビームに対応した水平同期信号に分離する技術が開示されている。
【００１４】
【特許文献１】特許第３５４８４６３号公報
【特許文献２】特開２００４−２４９６２０号公報
【特許文献３】特開平１１−３４３８５号公報
【発明の開示】
【発明が解決しようとする課題】
【００１５】
上述のように、一度に走査する走査光の本数を複数本とした光走査装置では、水平同期確立動作を行う毎に、最初に受信する水平同期信号の先頭パルスの属性やパルスの個数が異なるため、受信した水平同期信号パルスを分析し、それぞれの水平同期信号パルスがどのビデオ信号に対応しているのかを認識する回路が必要である。その回路は、走査光の本数が多ければ多いほど構成及び制御が複雑となり、その結果、回路規模が大きくなってコストが高くなるという問題がある。
【００１６】
本発明は、一度に走査する走査光の本数が複数本であっても、水平同期信号パルスの属性を容易に、かつ正確に認識することが可能な光走査装置を提供することを目的とする。
【課題を解決するための手段】
【００１７】
上記の目的を達成するために本発明は、複数のビデオ信号（ＬＤ１〜ＬＤＮ）に対応するＮ本（但しＮは２以上の整数）のレーザ光を走査する走査手段（１０２）と、レーザ光の走査開始端付近に配置された光センサ（１０８）と、該光センサの検出信号から同期信号（ＢＤ）を生成する同期信号生成部（１１０）と、該同期信号生成部により生成された同期信号（ＢＤ）を受信し、該同期信号（ＢＤ）に同期した前記複数のビデオ信号を生成する信号制御部（２００）とを備え、上記信号制御部は、前記ビデオ信号に対応する前記同期信号を分離して取り出す同期信号分離回路（２０１）と、それぞれフリップフロップを有し、前記分離した同期信号及び画像データ成分（ＶＤ）からＮ個のビデオ信号（ＬＤ１〜ＬＤＮ）を生成するＮ個のビデオ信号生成回路とを備えた光走査装置であって、Ｎ番目の前記ビデオ信号生成回路は、同期確立動作を開始する開始信号（ＳＴ）によりフリップフロップがセットされ、１〜（Ｎ−１）番目の前記ビデオ信号生成回路は、それぞれＮ番目のビデオ信号生成回路のフリップフロップの出力と、前記同期信号分離回路（２０１）からの同期信号との論理積の出力信号によりフリップフロップがセットされるように接続してなり、Ｎ個のフリップフロップの出力に基づいて前記レーザ光を走査することにより得られる同期信号をそれぞれＮ個のビデオ信号生成回路の同期信号として割り当てるようにしたことに一つの特徴を有する。
【００１８】
本発明の他の特徴は、複数のビデオ信号に対応するＮ本（但しＮは３以上の整数）のレーザ光を走査する走査手段（１０２）と、レーザ光の走査開始端付近に配置された光センサ（１０８）と、該光センサの検出信号から同期信号を生成する同期信号生成部（１１０）と、該同期信号生成部により生成された同期信号（ＢＤ）を受信し、該同期信号（ＢＤ）に同期した前記複数のビデオ信号を生成する信号制御部（２００）とを備え、上記信号制御部は、前記ビデオ信号に対応する前記同期信号を分離して取り出す同期信号分離回路と、それぞれフリップフロップを有し、前記分離した同期信号及び画像データ成分（ＶＤ）からＮ個のビデオ信号（ＬＤ１〜ＬＤＮ）を生成するＮ個のビデオ信号生成回路とを備えた光走査装置であって、Ｎ番目の前記ビデオ信号生成回路は、同期確立動作を開始する開始信号（ＳＴ）によりフリップフロップがセットされ、（Ｎ−１）番目から１番目の前記ビデオ信号生成回路は、それぞれＮ番目から２番目の分離されたビデオ信号生成回路のフリップフロップの出力信号と、Ｎ番目から２番目の同期信号の論理積の出力信号によりフリップフロップがセットされるように接続してなり、Ｎ個のフリップフロップの出力に基づいて、前記レーザ光を走査することにより得られる同期信号をそれぞれＮ個のビデオ信号生成回路の同期信号として割り当てるようにしたことにある。
【００１９】
本発明の他の特徴は、複数のビデオ信号（ＬＤ１〜ＬＤＮ）に対応するＮ本（但しＮは２以上の整数）のレーザ光を走査する走査手段（１０２）と、レーザ光の走査開始端付近に配置された光センサ（１０８）と、該光センサの検出信号から同期信号（ＢＤ）を生成する同期信号生成部（１１０）と、該同期信号生成部により生成された同期信号（ＢＤ）を受信し、該同期信号（ＢＤ）に同期した前記複数のビデオ信号を生成する信号制御部（２００）とを備え、上記信号制御部は、前記ビデオ信号に対応する前記同期信号を分離して取り出す同期信号分離回路（２０１）と、それぞれフリップフロップを有し、前記分離した同期信号及び画像データ成分（ＶＤ）からＮ個のビデオ信号（ＬＤ１〜ＬＤＮ）を生成するＮ個のビデオ信号生成回路とを備えた光走査装置であって、Ｎ番目の前記ビデオ信号生成回路は、前記分離した同期信号の発生から所定時間経過後に出力パルスを発生するタイマ（２０９）の出力信号と、同期確立動作を開始する開始信号（ＳＴ）との論理和によりフリップフロップがセットされ、１〜（Ｎ−１）番目の前記ビデオ信号生成回路のフリップフロップは、前記タイマの出力信号によりセットされるように接続してなり、Ｎ個のフリップフロップの出力に基づいて、前記レーザ光を走査することにより得られる同期信号をそれぞれＮ個のビデオ信号生成回路の同期信号として割り当てるようにしたことにある。
【発明の効果】
【００２１】
本発明によれば、最初にＮ本のレーザ光の中の特定のレーザ光のみを走査することにより、特定のレーザ光に対応する１個の同期パルスを得て、その後、Ｎ本のレーザ光に対応する同期パルスを得ているので、一度に走査する走査光の本数が複数本であっても、水平同期信号パルスの属性を容易に且つ正確に認識することができるという効果がある。
【発明を実施するための最良の形態】
【００２２】
以下、本発明に係る光走査装置の全体構成を最初に説明し、次にその主要部である信号制御部の実施例を図面を参照して説明する。図１は、一度に走査する走査光の本数を５本とした場合の、本発明光走査装置の全体構成の概略を示す。信号制御部２００により生成されたビデオ信号ＬＤ１〜ＬＤ５は、走査機構部１０２に設けられたレーザ光出力部１０５に加えられる。レーザ光出力部１０５により発生したレーザ光は、高速回転する回転多面鏡１０６により反射され、非球面レンズ１０７を透過して走査光検出センサ１０８及び感光ドラム１０９を走査する。走査光１１６〜１２０が走査光検出センサ１０８を走査すると、センサ１０８は検知信号を発生し、それを元に水平同期信号生成部１１０は水平同期信号ＢＤを生成する。生成された水平同期信号ＢＤは、信号制御部２００に加えられる。次に信号制御部２００の実施例について説明する。
【実施例１】
【００２３】
図２−１は、本発明光走査装置における信号制御部の第１実施例を示すブロック図である。同図において、水平同期信号生成部１１０により生成された水平同期信号ＢＤは、水平同期信号分離回路２０１に加えられ、第２水平同期信号ＢＤ２〜第５水平同期信号ＢＤ５が分離して取り出される。
【００２４】
水平同期確立動作を開始するための信号ＳＴはアンドゲート２０２ｅに印加され、その出力によりフリップフロップ２０３ｅがセットされる。セットにより生じる出力信号は、第５水平同期信号ＢＤ５と共にアンドゲート２０２ｄに印加される。アンドゲート２０２ｄの出力によりセットされるフリップフロップ２０３ｄの出力信号は、第４水平同期信号ＢＤ４と共にアンドゲート２０２ｃに印加され、その出力によりフリップフロップ２０３ｃがセットされる。フリップフロップ２０３ｃの出力は、第３水平同期信号ＢＤ３と共にアンドゲート２０２ｂに印加され、その出力によりフリップフロップ２０３ｂがセットされる。フリップフロップ２０３ｂの出力は、第２水平同期信号ＢＤ２と共にアンドゲート２０２ａに印加され、その出力によりフリップフロップ２０３ａがセットされる。フリップフロップ２０３ａ〜２０３ｅの出力信号は、コントローラ２０５から発生する画像データ成分ＶＤ１〜ＶＤ５と共に、それぞれオアゲート２０４ａ〜２０４ｅに加えられる。各オアゲート２０４ａ〜２０４ｅからは、走査機構部１０２のレーザ光出力部１０５に加えられる第１ビデオ信号ＬＤ１〜第５ビデオ信号ＬＤ５が生成される。
【００２５】
なお、ビデオ信号ＬＤは、水平同期信号発生用データ成分と、画像データ成分ＶＤより構成され、水平同期信号発生用データ成分は更に、水平同期確立動作時の水平同期信号発生用データ成分ａと、水平同期状態において、周期的に発生させる水平同期信号発生用データ成分ｂに分けられる。以下の説明では、便宜上、画像データ成分ＶＤと、水平同期信号発生用データ成分ｂの説明を省く。
【００２６】
次に、図２−２タイミングチャートを参照して第１実施例の動作を説明する。
【００２７】
図２−１の回路で水平同期確立動作を開始するときは、開始信号ＳＴによりフリップフロップ２０３ｅをセットすることにより、第５ビデオ信号ＬＤ５の水平同期信号発生用データ成分９０１を出力し続ける。このとき、第１ビデオ信号ＬＤ１、第２ビデオ信号ＬＤ２、第３ビデオ信号ＬＤ３、第４ビデオ信号ＬＤ４は出力を行わない。第５ビデオ信号ＬＤ５の水平同期信号発生用データ成分９０１に対応した走査線が走査光検出センサ１０８上を走査すると、その検出信号により水平同期信号発生部１１０は、１個の同期パルス９０６を生成する。従って、最初に受信する水平同期信号９０６は第５ビデオ信号ＬＤ５に対応した属性の第５水平同期信号ＢＤ５であると認識することができる。
【００２８】
最初の水平同期信号９０６(ＢＤ５)を受信すると、この信号はアンドゲート２０２ｄに印加され、オアゲート２０４ｄの出力から第４ビデオ信号ＬＤ４の水平同期信号発生用データ成分９０２の出力を開始する。そして第４〜第５ビデオ信号ＬＤ４〜ＬＤ５に対応した走査光が走査光検出センサ１０８上を走査するのを待ち、２周期目の水平同期信号９０７を得る。水平同期信号９０７は２個のパルスとなり、先頭パルスは第４ビデオ信号ＬＤ４に対応した属性の第４水平同期信号ＢＤ４であり、２番目のパルスは第５ビデオ信号ＬＤ５に対応した属性の第５水平同期信号ＢＤ５であると認識することができる。
【００２９】
２周期目の水平同期信号９０７の第４水平同期信号ＢＤ４はアンドゲート２０２ｃに印加され、その出力によりフリップフロップ２０３ｃがセットされる。このため、第５ビデオ信号ＬＤ５及び第４ビデオ信号ＬＤ４の水平同期信号発生用データ成分９０１、９０２に加え、第３ビデオ信号ＬＤ３の水平同期信号発生用データ成分９０３の出力を開始する。そして、第３〜第５ビデオ信号ＬＤ３〜ＬＤ５に対応した走査光が走査光検出センサ１０８上を走査するのを待ち、３周期目の水平同期信号９０８を得る。水平同期信号９０８は３個のパルスとなり、先頭パルスは第３ビデオ信号ＬＤ３に対応した属性の第３水平同期信号ＢＤ３であり、２番目パルスは第４ビデオ信号ＬＤ４に対応した属性の第４水平同期信号ＢＤ４であり、３番目パルスは第５ビデオ信号ＬＤ５に対応した属性の第５水平同期信号ＢＤ５であることが予め明らかである。
【００３０】
このように、各周期の水平同期信号ＢＤ５、ＢＤ４、ＢＤ３、ＢＤ２を受信する毎に、４→３→２→１の順序でビデオ信号のＬＤ４〜ＬＤ１の水平同期信号発生用データの出力を増やしていけば、受信する水平同期信号のパルス個数は周期毎に１個ずつ増えていき、最終的に５個の水平同期信号パルスＢＤ１〜ＢＤ５を得ることができる。各周期で受信する水平同期信号の属性は予め明らかであるため、どのビデオ信号に対応しているパルスなのかを分析して、その属性を認識する回路を新たに設ける必要がない。
【実施例２】
【００３１】
図３−１は、本発明に係る光走査装置における信号制御部の第２実施例を示すブロック図である。同図において、水平同期確立動作開始信号ＳＴはアンドゲート２０６ｅに印加され、その出力によりフリップフロップ２０３ｅがセットされる。フリップフロップ２０３ｅの出力信号は、第５水平周期信号ＢＤ５と共にアンドゲート２０６ａ〜２０６ｄに加えられる。アンドゲート２０６ａ〜２０６ｄの出力は、それぞれフリップフロップ２０３ａ〜２０３ｄのセット端子に印加される。各フリップフロップ２０３ａ〜２０３ｅの出力信号は、それぞれオアゲート２０４ａ〜２０４ｅを介して第１ビデオ信号ＬＤ１〜第５ビデオ信号ＬＤ５として走査機構部１０２のレーザ光出力部１０５に加えられる。
【００３２】
次に、図３−２のタイミングチャートを参照して第２実施例の動作を説明する。
【００３３】
水平同期確立動作を開始するときには、開始信号ＳＴによりフリップフロップ２０３ｅをセットして、オアゲート２０４ｅより第５ビデオ信号ＬＤ５として、水平同期信号発生用データ成分１００１を出力し続け、第５ビデオ信号ＬＤ５に対応した走査光が走査光検出センサ１０８上を走査するのを待つ。このとき、第１ビデオ信号ＬＤ１、第２ビデオ信号ＬＤ２、第３ビデオ信号ＬＤ３、第４ビデオ信号ＬＤ４は出力を行わない。このため、最初に受信する水平同期信号ＢＤは１個のパルス１００６となり、そのパルス１００６は第５ビデオ信号ＬＤ５に対応した属性の第５水平同期信号ＢＤ５であることが予め明らかである。
【００３４】
第５水平同期信号ＢＤ５は、アンドゲート２０６ａ〜２０６ｄを通してフリップフロップ２０３ａ〜２０３ｄをセットするので、最初の水平同期信号ＢＤ５を受信すると、第５ビデオ信号ＬＤ５に加え、第１〜第４ビデオ信号ＬＤ１〜ＬＤ４の水平同期信号発生用データ成分１００２〜１００５の出力を開始する。そして第１〜第５ビデオ信号ＬＤ１〜ＬＤ５に対応した走査光が走査光検出センサ１０８上を走査するのを待ち、２周期目の水平同期信号ＢＤを得る。水平同期信号ＢＤは５個のパルス１００７となり、先頭パルスから順に、第１ビデオ信号ＬＤ１に対応した属性の第１水平同期信号ＢＤ１、第２ビデオ信号ＬＤ２に対応した属性の第２水平同期信号ＢＤ２、第３ビデオ信号ＬＤ３に対応した属性の第３水平同期信号ＢＤ３、第４ビデオ信号ＬＤ４に対応した属性の第４水平同期信号ＢＤ４、第５ビデオ信号ＬＤ５に対応した属性の第５水平同期信号ＢＤ５であることが予め明らかである。
【００３５】
従って、第２の実施例においても、最終的に５個の水平同期信号パルスＢＤ１〜ＢＤ５を得ることができ、それらのパルスがどのビデオ信号に対応しているパルスかを認識するための付加回路を設ける必要がない。更に、第１の実施例に比べて、水平同期確立状態へ達するまでの時間が短いという利点もある。
【実施例３】
【００３６】
図４−１は、本発明に係る光走査装置における信号制御部の第３実施例を示すブロック図である。同図において、水平同期確立動作開始信号ＳＴはアンドゲート２０７ｆを通してオアゲート２０８に印加される。また、水平同期信号分離回路２０１からの第５水平同期信号ＢＤ５はタイマ２０９に印加され、一定時間経過後、出力信号を発生する。タイマ２０９の出力信号はそれぞれアンドゲート２０７ａ〜２０７ｅに加えられ、その出力信号によりフリップフロップ２０３ａ〜２０３ｅがセットされる。
【００３７】
次に、図４−２のタイミングチャートを参照して第３実施例の動作を説明する。
【００３８】
水平同期確立動作を開始するときには、開始信号ＳＴによりフリップフロップ２０３ｅをセットする。この結果、オアゲート２０４ｅより第５ビデオ信号ＬＤ５の水平同期信号発生用データ成分１１０１が出力され、第５ビデオ信号ＬＤ５に対応した走査光が走査光検出センサ１０８上を走査するのを待つ。このとき、第１ビデオ信号ＬＤ１、第２ビデオ信号ＬＤ２、第３ビデオ信号ＬＤ３、第４ビデオ信号ＬＤ４は出力を行わない。このため、最初に受信する水平同期信号ＢＤは１個のパルス１１０７となり、そのパルス１１０７は、第５ビデオ信号ＬＤ５に対応した属性の第５水平同期信号ＢＤ５であることが予め分かる。
【００３９】
最初の水平同期信号１１０７を受信すると、フリップフロップ２０３ｅをリセットして、第５ビデオ信号ＬＤ５の水平同期信号発生用データ成分１１０１の出力を停止する。一方、水平同期信号ＢＤ５はタイマ２０９に印加され、その立ち上がりを基準に一定時間の経過を計測する。一定時間とは、水平同期信号パルスの発生周期を勘案して決定する時間である。一定時間が経過すると、タイマ２０９の出力によりフリップフロップ２０３ａ〜２０３ｅがセットされるため、第１〜第５ビデオ信号ＬＤ１〜ＬＤ５の水平同期信号発生用データ成分１００２〜１００６が一斉に出力を開始する。これにより第１〜第５ビデオ信号ＬＤ１〜ＬＤ５に対応した走査光が走査光検出センサ１０８上を走査し、２周期目の水平同期信号ＢＤを得る。水平同期信号ＢＤは５個のパルス１１０８となり、先頭パルスから順に、第１ビデオ信号ＬＤ１に対応した属性の第１水平同期信号ＢＤ１、第２ビデオ信号ＬＤ２に対応した属性の第２水平同期信号ＢＤ２、第３ビデオ信号ＬＤ３に対応した属性の第３水平同期信号ＢＤ３、第４ビデオ信号ＬＤ４に対応した属性の第４水平同期信号ＢＤ４、第５ビデオ信号ＬＤ５に対応した属性の第５水平同期信号ＢＤ５であることが予め分かる。
【００４０】
従って、第３の実施例においても、最終的に５個の水平同期信号パルスＢＤ１〜ＢＤ５を得ることができ、それらパルスがどのビデオ信号に対応しているパルスなのかを認識するための付加回路を設ける必要がない。更に、第１の実施例に比べて、水平同期確立状態へ達するまでの時間が短いという利点もある。
【００４１】
なお、第３の実施例の説明では、最初に第５ビデオ信号ＬＤ５の水平同期信号発生用データ成分を出力する例を示したが、第１〜第４のビデオ信号ＬＤ１〜ＬＤ４のいずれかでもよい。すなわち、最初に出力する１つのビデオ信号により第１周期で受信する水平同期信号の属性は決定されるため、その属性に応じてタイマで計測する時間を調整すればよい。
【００４２】
以上述べたように、本発明によれば水平同期確立動作を開始するときに、マルチビーム中の特定の走査光のみを走査することによって、水平同期信号パルスの属性を認識することが可能となる。また、特定の走査光のみを走査することによって、水平同期信号の発生タイミングを認識することが可能となる。
【図面の簡単な説明】
【００４３】
【図１】本発明に係る光走査装置の全体の構成の一実施例を示す概略構成図。
【図２−１】本発明光走査装置における信号制御部の第１実施例を示すブロック図。
【図２−２】本発明の第１実施例の動作を説明するためのタイミングチャート。
【図３−１】本発明光走査装置における信号制御部の第２実施例を示すブロック図。
【図３−２】本発明の第２実施例の動作を説明するためのタイミングチャート。
【図４−１】本発明光走査装置における信号制御部の第３実施例を示すブロック図。
【図４−２】本発明の第３実施例の動作を説明するためのタイミングチャート。
【図５】従来の光走査装置の概略構成図。
【図６】従来装置におけるビデオ信号と水平同期信号の関係を示すタイミングチャート。
【図７】従来装置における水平同期確立動作開始時のタイミングチャート。
【図８】従来装置における水平同期確立動作開始時の走査光位置の説明図。
【図９】従来装置における水平同期確立動作開始時の動作を説明するためのタイミングチャート。
【図１０】従来装置における水平同期確立動作開始時の走査光位置の説明図。
【図１１】従来装置における水平同期確立動作開始時の動作を説明するためのタイミングチャート。
【符号の説明】
【００４４】
１０１：信号制御部、１０２：走査機構部、１０３：水平同期信号検査部、
１０４：ビデオ信号生成部、１０５：レーザ光出力部、１０６：回転多面鏡、
１０７：非球面レンズ、１０８：走査光検出センサ、１０９：感光ドラム、
１１０：水平同期信号生成部、１１１〜１１５：ビデオ信号、１１６〜１２０：走査光、１２１：水平同期信号、２００：信号制御部、２０１：水平同期信号分離回路、
２０２ａ〜２０２ｅ：アンドゲート、２０３ａ〜２０３ｅ：フリップフロップ、
２０４ａ〜２０４ｅ：オアゲート、２０５：コントローラ、
２０６ａ〜２０６ｅ：アンドゲート、２０７ａ〜２０７ｆ：アンドゲート、
２０８：オアゲート、２０９タイマ、３０１〜３１７：ビデオ信号及び水平同期信号、
４０１〜４０６：ビデオ信号及び水平同期信号、５０１：走査光、５０２：感光ドラム、５０３：走査光検出センサ、５０４：水平同期信号生成部、６０１：水平同期信号、
７０１：走査光、７０２：感光ドラム、７０３：走査光検出センサ、
７０４：水平同期信号生成部、８０１：水平同期信号、
９０１〜９１０：ビデオ信号及び水平同期信号、
１００１〜１００７：ビデオ信号及び水平同期信号、
１１０１〜１１０８：ビデオ信号及び水平同期信号
【図１】
0004653591.tif 000002
【図２−１】
0004653591.tif 000003
【図２−２】
0004653591.tif 000004
【図３−１】
0004653591.tif 000005
【図３−２】
0004653591.tif 000006
【図４−１】
0004653591.tif 000007
【図４−２】
0004653591.tif 000008
【図５】
0004653591.tif 000009
【図６】
0004653591.tif 000010
【図７】
0004653591.tif 000011
【図８】
0004653591.tif 000012
【図９】
0004653591.tif 000013
【図１０】
0004653591.tif 000014
【図１１】
0004653591.tif 000015